(57)【要約】【課題】使用時は携帯情報端末（ＰＤＡ）に順方向に取付けて使用し、キーボードを使用せず携帯情報端末（ＰＤＡ）画面だけを利用する時はキーボードを逆に取付けて後ろ側に折り畳めたり取り外して収納できる携帯情報端末（ＰＤＡ）のキーボードを提供する。【解決手段】携帯情報端末（ＰＤＡ）セット９に取付けて使用するキーボードにおいて、キーボード入力信号を前記携帯情報端末（ＰＤＡ）に伝えるコネクタ１６及びヒンジ上下部カバー１８，２０を含むヒンジ装置１１と、該ヒンジ装置の内部に位置し、前記携帯情報端末（ＰＤＡ）に順方向または逆方向に取付けられる着脱手段１３と、前記ヒンジ装置に連結され、これを中心に折り畳んだり広げたりすることができ、上面にキー部２２、内部に前記キー部で押えるキーを入力するＦＰＣキーパッドを備えたキーボード筐体部２３を含む。【選択図】　図１
2004038950.tif 000002
【特許請求の範囲】
【請求項１】
携帯情報端末（ＰＤＡ）セットに取付けて使用するキーボードにおいて、
キーボード入力信号を前記携帯情報端末（ＰＤＡ）に伝えるコネクタ及びヒンジ上下部カバーを含むヒンジ装置と、
該ヒンジ装置の内部に位置し、前記携帯情報端末（ＰＤＡ）に順方向または逆方向に取付けられる着脱手段と、
前記ヒンジ装置に連結され、これを中心に折り畳んだり広げたりすることができ、上面にキー部、内部に前記キー部で押えるキーを入力するＦＰＣキーパッドを備えるキーボード筐体部と
を備えることを特徴とする携帯情報端末（ＰＤＡ）のキーボード。
【請求項２】
前記着脱手段は、前記携帯情報端末（ＰＤＡ）に挿入され前記ヒンジ装置を固定するブラケットヒンジ、該ブラケットヒンジを携帯情報端末（ＰＤＡ）に挿入する際弾性力によって前記ブラケットヒンジを側面に押して自動ロックさせるスプリング、該スプリングを圧縮して前記ブラケットヒンジのロッキングを解除するイジェクターであることを特徴とする請求項１に記載の携帯情報端末（ＰＤＡ）のキーボード。
【請求項３】
前記コネクタは、前記ＦＰＣキーパッドとＦＰＣ線を介して繋いでいるピンコンタクト（ＰＩＮ−ＣＯＮＴＡＣＴ）コネクタであることを特徴とする請求項１に記載の携帯情報端末（ＰＤＡ）のキーボード。
【請求項４】
前記ヒンジ上部カバーには携帯情報端末（ＰＤＡ）に取付けられる位置を知らせる案内突起が形成されていることを特徴とする請求項１に記載の携帯情報端末（ＰＤＡ）のキーボード。
【請求項５】
前記キーボード筐体部を前記ヒンジ装置を中心に折り畳んだり広げる時固定されたヒンジ装置と摩擦により前記キーボード筐体部が磨耗されることを防止するためのヒンジパイプを前記ヒンジ装置にさらに備えることを特徴とする請求項１ないし請求項４のうちいずれか１項に記載の携帯情報端末（ＰＤＡ）のキーボード。
【請求項６】
携帯情報端末（ＰＤＡ）セットに取付けて使用するキーボードにおいて、
キーボード入力信号を携帯情報端末（ＰＤＡ）に提供するコネクタとヒンジ上下部カバーを含むヒンジ装置と、
該ヒンジ装置の内部に位置し、前記携帯情報端末（ＰＤＡ）に順方向または逆方向に取付可能な着脱手段と、
キー部、内部に前記キー部で押えるキーを入力するＦＰＣキーパッドを備えるキーボード筐体部と、
一側は前記ヒンジ装置に結合され、他側は前記キーボード筐体部に結合され前記ヒンジ装置と前記キーボード筐体部とを連結し、前記ヒンジ装置を中心に前記キーボード筐体部を３６０°折り畳んだり広げたりすることのできるよう柔軟性を持つキーボード回転部と
を備えることを特徴とする携帯情報端末（ＰＤＡ）のキーボード。
【請求項７】
前記キーボード筐体部はプラスチックであり、前記キーボード回転部は適当な柔軟性と靭性を有する革であることを特徴とする請求項６に記載の携帯情報端末（ＰＤＡ）のキーボード。
【請求項８】
前記キーボード回転部は布などの紡織物であることを特徴とする請求項６に記載の携帯情報端末（ＰＤＡ）のキーボード。
【請求項９】
前記コネクタは前記ＦＰＣキーパッドと連結部材を利用して連結されているピンコンタクトコネクタであることを特徴とする請求項６に記載の携帯情報端末（ＰＤＡ）のキーボード。
【請求項１０】
前記連結部材は内部に導電性テープとこれを包んで保護する保護用フィルムで構成されることを特徴とする請求項９に記載の携帯情報端末（ＰＤＡ）のキーボード。
【請求項１１】
前記保護用フィルムはウレタンフォームであることを特徴とすることを特徴とする請求項１０に記載の携帯情報端末（ＰＤＡ）のキーボード。
【請求項１２】
前記ヒンジ下部カバーに携帯情報端末（ＰＤＡ）に取付けられる位置を知らせる案内突起が形成されていることを特徴とする請求項６に記載の携帯情報端末（ＰＤＡ）のキーボード。
【請求項１３】
前記着脱手段は前記携帯情報端末（ＰＤＡ）に挿入されロックされるフックヒンジと、該フックヒンジを側面の方に押して自動にロックさせるスプリングまたは板スプリングで構成されることを特徴とする請求項６に記載の携帯情報端末（ＰＤＡ）のキーボード。
【請求項１４】
前記キーボード筐体部を前記携帯情報端末（ＰＤＡ）の画面に当たるよう折り畳んだり３６０°回転させ携帯情報端末（ＰＤＡ）の背面に当るよう折り畳む際、前記キーボード筐体部が前記携帯情報端末（ＰＤＡ）に取付けられるよう前記キーボード筐体部の左右側コーナに磁石を設けることを特徴とする請求項６ないし請求項１３のうちいずれか１項に記載の携帯情報端末（ＰＤＡ）のキーボード。
【請求項１５】
携帯情報端末（ＰＤＡ）の使用及び収納が便利になるよう携帯情報端末（ＰＤＡ）の正面または背面に着脱自在に取付けられる携帯情報端末（ＰＤＡ）のキーボード。
【発明の詳細な説明】
【０００１】
【発明の属する技術分野】
本発明はキーボードに係り、さらに詳細にはキーボードの使用時は端末機に順方向に取付けて使用し、キーボードを使用せず端末機の画面だけを利用する時はキーボードを逆に取付けて後ろ側に折り畳めたり、取り外して収納できる携帯情報端末（ＰＤＡ）のキーボードに係る。
【０００２】
ここで、順方向とはキーボードのキー部を携帯情報端末（ＰＤＡ）の画面側に位置させる方向であり、逆方向とはキーボードのキー部を携帯情報端末（ＰＤＡ）の背面側に位置させる方向と定義し、以下同じ意味として使用する。
【０００３】
【従来の技術】
従来の携帯情報端末（ＰＤＡ）のキーボードは携帯情報端末（ＰＤＡ）に取付けられて着脱不可能であるか、またはキーボードを別に携帯してから使用する時は携帯情報端末（ＰＤＡ）に順方向に取付けて使用してきた。
【０００４】
端末機に取付けられているということはユーザーがキーボードを使用したくない場合も取り外せないという短所があり、別に携帯していてから携帯情報端末（ＰＤＡ）に取付けて使用するキーボードの場合は常に携帯しなければならない短所があり、殆んどキーボードが大きくて携帯し難い。また、このような従来の携帯情報端末（ＰＤＡ）のキーボードは移動中に使用し難い短所があり、画面をタッチして使用していてからキーボードに取り替えて使用したり、あるいはその逆に取り替えて使用することが不便であった。
【０００５】
【発明が解決しようとする課題】
本発明は前述したような短所を解決するために案出されたもので、その目的は順方向に取付けて折り畳んだり広げたりすることができ、覆して取付けて携帯情報端末（ＰＤＡ）の背面に折り畳んで収納でき、携帯情報端末（ＰＤＡ）セットと取外して携帯することも可能な携帯情報端末（ＰＤＡ）のキーボードを提供するところにある。
【０００６】
本発明の他の目的は携帯情報端末（ＰＤＡ）に順方向または逆方向装着及び取り外しが容易な携帯情報端末（ＰＤＡ）のキーボードを提供するところにある。
【０００７】
本発明のさらに他の目的は携帯情報端末（ＰＤＡ）に取付けた状態で３６０°に折り畳んだり広げたりすることができて、使用及び収納が便利な携帯情報端末（ＰＤＡ）のキーボードを提供するところにある。
【０００８】
【課題を解決するための手段】
前述したような目的を達成するための本発明の携帯情報端末（ＰＤＡ）のキーボードは、携帯情報端末（ＰＤＡ）セットに取付けて使用するキーボードにおいて、キーボード入力信号を携帯情報端末（ＰＤＡ）セットに伝えるコネクタ及びヒンジ上下部カラーを含むヒンジ装置と、該ヒンジ装置の内部に位置し、前記携帯情報端末（ＰＤＡ）に順方向または逆方向に取付けられる着脱手段と、前記ヒンジ装置に連結されこれを中心に折り畳んだり広げたりすることができ、上面にキー部、内部に前記キー部で押えるキーを入力するＦＰＣキーパッドを備えるキーボード筐体部を含む。
【０００９】
前記着脱手段は前記携帯情報端末（ＰＤＡ）に挿入され前記ヒンジ装置を固定するブラケットヒンジと、該ブラケットヒンジを携帯情報端末（ＰＤＡ）に挿入する際弾性力によって前記ブラケットヒンジを側面に押して自動ロックさせるスプリングと、該スプリングを圧縮して前記ブラケットヒンジのロックを解除するイジェクターであることが望ましい。
【００１０】
前記コネクタは前記ＦＰＣキーパッドとＦＰＣ線を介して連結されているピンコンタクトコネクタであることが望ましい。
【００１１】
前記ヒンジ上部カバーには携帯情報端末（ＰＤＡ）に取付けられる位置を知らせる案内突起が形成されていることが望ましい。
【００１２】
また、前記キーボード筐体部を前記ヒンジ装置を中心に折り畳んだり広げたりする際固定されたヒンジ装置と摩擦により前記キーボード筐体が磨耗されることを防止するためのヒンジパイプを前記ヒンジ装置にさらに備えることが望ましい。
【００１３】
そして、本発明に係る携帯情報端末（ＰＤＡ）のキーボードは、携帯情報端末（ＰＤＡ）に取付けて使用するキーボードにおいて、キーボード入力信号を携帯情報端末（ＰＤＡ）に提供するコネクタとヒンジ上下部カバーを含むヒンジ装置と、該ヒンジ装置の内部に位置し、前記携帯情報端末（ＰＤＡ）に順方向または逆方向に取付可能な着脱手段と、キー部、内部に前記キー部で押えるキーを入力するＦＰＣキーパッドを備えるキーボード筐体部と、一側は前記ヒンジ装置に結合され他側は前記キーボード筐体部に結合され前記ヒンジ装置と前記キーボード筐体とを連結し、前記ヒンジ装置を中心に前記キーボード筐体部を３６０°折り畳んだり広げたりすることのできるよう柔軟性を有するキーボード回転部とを含む。
【００１４】
前記キーボード筐体部はプラスチックであり、前記キーボード回転部は適当な柔軟性と靭性を有する革であることが望ましい。
【００１５】
前記キーボード回転部は布などの織物であることが望ましい。
【００１６】
前記コネクタは前記ＦＰＣキーパッドと連結部材を利用して連結されているピンコンタクトコネクタであることが望ましい。
【００１７】
ここで、前記連結部材は導電性テープとこれを包んで保護する保護用フィルムで構成されることが望ましい。
【００１８】
前記保護用フィルムはウレタンフォームであることが望ましい。
【００１９】
前記ヒンジ下部カバーには携帯情報端末（ＰＤＡ）に取付けられる位置を知らせる案内突起が形成されていることが望ましい。
【００２０】
前記着脱手段は前記携帯情報端末（ＰＤＡ）に挿入されロックされるフックヒンジと、該フックヒンジを側面に押して自動にロックさせるスプリングまたは板スプリングで構成されることが望ましい。
【００２１】
前記キーボード筐体部を前記携帯情報端末（ＰＤＡ）の画面に当てるよう折り畳んだり３６０°回転させて携帯情報端末（ＰＤＡ）の背面に当るよう折り畳む際、前記キーボード筐体部が前記携帯情報端末（ＰＤＡ）に取付けられるよう前記キーボード筐体部の左右側コーナに磁石を設けることが望ましい。
【００２２】
【発明の実施の形態】
以下、添付した図面に基づき本発明の携帯情報端末（ＰＤＡ）のキーボードについて詳述する。
【００２３】
図１は本発明の携帯情報端末（ＰＤＡ）のキーボードに関する望ましい一実施形態を示す分解斜視図である。
【００２４】
同図から分かる通り、本発明に係る携帯情報端末（ＰＤＡ）のキーボードは、ヒンジ装置１１、キーボード筐体部２３及び着脱装置１３に分けられる。
【００２５】
前記ヒンジ装置１１は、二つの案内突起１９が形成されているヒンジ上部カバー１８及び下部カバー２０があり、ピンコンタクトコネクタ１６、パイプヒンジ２６などを含む。
【００２６】
前記着脱装置１３は、ヒンジ上下部カバーの内部に位置し携帯情報端末（ＰＤＡ）に挿入される二つのブラケットヒンジ１０、該ブラケットヒンジ１０の側面に設けられたスプリング１２、前記ブラケットヒンジ１０の間に位置するイジェクター１４で構成される。
【００２７】
前記キーボード筐体部２３は、キーボード上部筐体２４、キーボード下部筐体２５、キー部２２、それから前記キーボード上下部筐体の内部に位置するＦＰＣキーパッドを備える。このキーボード筐体部２３は前記ヒンジ装置１１のパイプヒンジ２６の外径を包みながらヒンジ装置１１と連結されている。
【００２８】
前記ピンコンタクトコネクタ１６は多数本の収縮可能なピン（ＰＩＮ）が突出されており、前記キーボード筐体部２３を構成するＦＰＣキーパッド（図示せず）と連結され前記ＦＰＣキーパッドに入力される信号を携帯情報端末（ＰＤＡ）に伝える。
【００２９】
本発明に係る携帯情報端末（ＰＤＡ）のキーボードは順方向及び逆方向取付の可能なことを一つの特徴とする。図１に示した望ましい一実施形態に対する着脱関係及び使用状態を説明すれば、ユーザーがキーボードを利用して携帯情報端末（ＰＤＡ）を使用したい場合は、まずヒンジ上部カバー１８に形成されている案内突起１９に合わせてヒンジ装置１１上に二つのブラケットヒンジ１０を携帯情報端末（ＰＤＡ）に挿入すれば、前記ブラケットヒンジ１０の側面にあるスプリング１２がブラケットヒンジ１０を側面に押して携帯情報端末（ＰＤＡ）にロックさせる。
【００３０】
図２は図１に示した本発明の一実施形態を携帯情報端末（ＰＤＡ）に順方向に取付けて１８０°広げたキーボードの使用状態を示す斜視図である。
【００３１】
このようにキーボードを使用するために順方向にキーボードを取付ける時は、キーボード筐体部に位置したＦＰＣキーパッドと連結されたピンコンタクトコネクタ１６が携帯情報端末（ＰＤＡ）９の信号端子（図示せず）に接続されキーボードに入力された信号を携帯情報端末（ＰＤＡ）９に伝える。また、前記ヒンジ装置１１を中心に折り畳んだり広げたりすることのできることは勿論である。
【００３２】
もし、ユーザーが本発明のキーボードを使用せず、携帯情報端末（ＰＤＡ）９のＬＣＤ画面２８を直接にタッチして使用したい場合は、本発明のキーボードを携帯情報端末（ＰＤＡ）９から取り外して別に収納できるが、ヒンジ装置１１のブラケットヒンジ１０を覆して逆方向に取付けて携帯情報端末（ＰＤＡ）の背面に折り畳んでおくこともできる。
【００３３】
図３ａ、図３ｂ、図３ｃはこのように本発明に係る携帯情報端末（ＰＤＡ）のキーボードに対する使用状態を示す側面図であって、図３ａは本発明のキーボードを順方向に取付けて携帯情報端末（ＰＤＡ）の画面に折り畳んでおいた状態を示した図であり、図３ｂは順方向に取付けて使用する状態である１８０°に広げた状態を示す図である。図３ｃはキーボードを使用しない時逆方向に取付けて携帯情報端末（ＰＤＡ）９の背面に折り畳んでおいた状態を示す図である。
【００３４】
このように順方向及び逆方向取付が可能であり、携帯情報端末（ＰＤＡ）の画面側にまたは背面に折り畳んだり広げたりできるので、ユーザーが使用する時は順方向に取付けて使用していてから携帯情報端末（ＰＤＡ）画面だけが利用したい場合はキーボードを取り外して収納できるが、ユーザーが移動中であるか取り外して収納し難い場合はキーボードを逆方向に取付けて携帯情報端末（ＰＤＡ）の背面に取付けておいて使用することができる。従って、ユーザーの携帯情報端末（ＰＤＡ）の使用が遥かに便利になる。
【００３５】
図４ないし図７は本発明の携帯情報端末（ＰＤＡ）のキーボードに対する他の実施形態を示す図である。
【００３６】
図４は分解斜視図であって、ヒンジ装置３９、キーボード筐体部５５、順方向及び逆方向に３６０°回転自在に柔軟性に優れた革や布材質より成るキーボード回転部５０、キーボード入力信号を伝えるピンコンタクトコネクタ５２、着脱装置４３を含む。
【００３７】
前記ヒンジ装置３９は、孔であるカバー溝４４が形成されたヒンジ上部カバー４２、案内突起４７が形成されているヒンジ下部カバー４６、ピンコンタクトコネクタ５２を含む。
【００３８】
前記着脱装置４３はフックヒンジ４０、該フックヒンジ４０が携帯情報端末（ＰＤＡ）に自動フックされるよう側面に押すスプリング４８を含む。
【００３９】
前記キーボード筐体部５５は、キー部５８、キーボード上部筐体５６、該キーボード上部筐体の内部に置かれるＦＰＣキーパッド（図示せず）、前記キーボード筐体部５５を順方向または逆方向に折り畳んで収納する際携帯情報端末（ＰＤＡ）セットと取付けられた状態を保つための磁石５７を含む。
【００４０】
前記ピンコンタクトコネクタ５２は、前記ＦＰＣキーパッドと連結部材５４を通して連結され、キーボード入力信号を携帯情報端末（ＰＤＡ）に伝える。また、前記連結部材５４はキーボード回転部５０の内部を通過するので、柔軟性と靭性、耐久性に優れた材質を使用する。
【００４１】
図５は前記連結部材５４を拡大して示す概略図である。図面から分かる通り、前記連結部材５４は細いファーバ（ＦＡＢＥＲ）材質よりなる導電性テープ５４ａを内部に備え、前記導電性テープ５４ａを保護する保護用フィルム５４ｂを前記導電性テープ５４ａの両側に包む。ここで、前記保護用フィルム５４ｂはウレタンフォームで構成されている。
【００４２】
このように前記連結部材５４を構成することによって十分な柔軟性と靭性を有し、前記キーボード回転部５０と共に３６０°回転が可能であり、信号伝達を良好に行える。
【００４３】
図６は本発明のさらに他の実施形態に関する斜視図であって、携帯情報端末（ＰＤＡ）に本発明のキーボードが使用状態である順方向に取付けられていることを示す斜視図であり、図７ａ、図７ｂ、図７ｃは本発明のキーボードを順方向に取付けて折り畳んだり広げたりする状態を示す側面図である。
【００４４】
すなわち、本発明のさらに他の実施形態による着脱関係及び使用状態は、図６に示した通り、前記着脱装置４３のフックヒンジ４０を前記スプリング４８を圧縮する方向に側面移動したまま案内突起４７の挿入孔（図示せず）に合わせて携帯情報端末（ＰＤＡ）４１に挿入した後手を放せば、前記スプリング４８の膨張力によって前記フックヒンジ４０が元通りに位置しながら携帯情報端末（ＰＤＡ）４１にロックされる。
【００４５】
このように順方向に前記フックヒンジ４０を取付ける時は前記ピンコンタクトコネクタ５２が携帯情報端末（ＰＤＡ）４１の信号端子（図示せず）に接続されキーボードの入力信号を携帯情報端末（ＰＤＡ）４１に伝える。
【００４６】
またユーザーが本発明のキーボードを使用しない時は、同様な方法で前記キーボードを携帯情報端末（ＰＤＡ）４１の逆方向に取付けた後、携帯情報端末（ＰＤＡ）セットの背面に取付けて収納することができる。
【００４７】
図７ａは本発明のキーボードを順方向に取付けて、携帯情報端末（ＰＤＡ）の画面にキーボードが折り畳まれて収納された状態を示し、図７ｂはキーボードを使用するために広げておいた状態を示す。また図７ｃは携帯情報端末（ＰＤＡ）の画面をタッチして使用する際本発明のキーボードを携帯情報端末（ＰＤＡ）の背面に取付けておいた状態を示す図である。
【００４８】
このように順方向に取付けず逆方向に取付けても本発明のキーボードは３６０°回転が可能なので携帯情報端末（ＰＤＡ）の画面や背面に取付られる。
【００４９】
【発明の効果】
以上述べた通り、本発明に係る携帯情報端末（ＰＤＡ）のキーボードはキーボードを携帯情報端末（ＰＤＡ）セットに順方向または逆方向に取付られ、また取り外して収納できるようにすることで、キーボードの使用及び収納が便利になる効果を奏する。
【００５０】
また、本発明の携帯情報端末（ＰＤＡ）のキーボードは携帯情報端末（ＰＤＡ）に挿入してロックされるヒンジ構造を単純化することにより、キーボードの装着及び取外しが容易であるという効果がある。
【００５１】
そして、本発明に係る携帯情報端末（ＰＤＡ）のキーボードは、キーボード回転部を柔軟性及び耐久性に優れた革や布などを使用して構成することにより、キーボードを順方向または逆方向に取付けた状態で３６０°回転自在になるため、本発明のキーボードを携帯情報端末（ＰＤＡ）の画面側にまたは背面側に取付けられて使用上及び収納上の便利性が向上される。
【００５２】
また、本発明に係る携帯情報端末（ＰＤＡ）のキーボードは、携帯情報端末（ＰＤＡ）の画面に取付けて保管可能なので、他の分離型キーボードで必要とする携帯情報端末（ＰＤＡ）の画面保護用カバーが不要であり、本発明に係るキーボードで兼用できるという利点がある。
【００５３】
以上、本発明の原理を例示するための望ましい実施形態に関連して説明しかつ示したが、本発明はそのように示しかつ説明されたままの構成及び作用に限られるべきではない。
【００５４】
また、特許請求の範囲の思想及び範疇を逸脱せず本発明に対する多数の変更及び修正が可能であることを当業者はよく理解できるであろう。
【００５５】
従って、そのような全ての適切な変更及び修正と均等物も本発明の範囲に属するものと見做されるべきである。
【図面の簡単な説明】
【図１】本発明に係る携帯情報端末（ＰＤＡ）のキーボードに対する一実施形態を示す分解斜視図である。
【図２】図１を示した本発明の一実施形態を携帯情報端末（ＰＤＡ）に順方向に取付けて１８０°に広げたキーボードの使用状態を示す斜視図である。
【図３ａ】図１を示した本発明の一実施形態を携帯情報端末（ＰＤＡ）に適用することを示す図であって、順方向に取付けて本発明に係るキーボードを携帯情報端末（ＰＤＡ）画面に折り畳んで収納する状態を示す図である。
【図３ｂ】図１を示した本発明の一実施形態を携帯情報端末（ＰＤＡ）に適用することを示す図であって、順方向に取付けて本発明に係るキーボードの使用状態である１８０°に広げた状態を示す図である。
【図３ｃ】図１を示した本発明の一実施形態を携帯情報端末（ＰＤＡ）に適用することを示す図であって、逆方向に取付けて本発明に係るキーボードを携帯情報端末（ＰＤＡ）の背面に折り畳んで収納する状態を示す側面図である。
【図４】本発明に係る携帯情報端末（ＰＤＡ）のキーボードに対する他の実施形態を示す分解斜視図である。
【図５】図４を示した本発明の実施形態でＦＰＣキーパッドとコネクタとを連結し、キーボードで入力する信号を伝達する連結部材を拡大して示す抜粋概略図である。
【図６】図４を示した本発明に係る携帯情報端末（ＰＤＡ）のキーボードを携帯情報端末（ＰＤＡ）に順方向に取付けた状態を示す斜視図である。
【図７ａ】図５を示した順方向の取付状態において本発明に係るキーボード使用状態を説明するための図であって、本発明に係る携帯情報端末（ＰＤＡ）のキーボードを携帯情報端末（ＰＤＡ）の画面に取付けて収納する状態を示す図である。
【図７ｂ】図５を示した順方向の取付状態において本発明に係るキーボード使用状態を説明するための図であって、本発明に係る携帯情報端末（ＰＤＡ）のキーボードを使用するために１８０°広げておいた状態を示す図である。
【図７ｃ】図５を示した順方向の取付状態において本発明に係るキーボード使用状態を説明するための図であって、本発明に係る携帯情報端末（ＰＤＡ）のキーボードを使用しない時携帯情報端末（ＰＤＡ）の背面に取付けて収納する状態を示す側面図である。
【符号の説明】
１０：ブラケットヒンジ
２２、５８：キー部
１１：ヒンジ装置
２３：キーボード筐体部
１２、４８：スプリング
２４：キーボード上部筐体
１４：イジェクター
２６：ヒンジパイプ
１６、５２：ピンコンタクトコネクタ
４０：フックヒンジ
１８、４２：ヒンジ上部カバー
５０：キーボード回転部
２０、４６：ヒンジ下部カバー
５７：磁石
５５：キーボード筐体部
５４ａ：導電性テープ
５４ｂ：保護用フィルム
【図１】
2004038950.tif 000003
【図２】
2004038950.tif 000004
【図３ａ】
2004038950.tif 000005
【図３ｂ】
2004038950.tif 000006
【図３ｃ】
2004038950.tif 000007
【図４】
2004038950.tif 000008
【図５】
2004038950.tif 000009
【図６】
2004038950.tif 000010
【図７ａ】
2004038950.tif 000011
【図７ｂ】
2004038950.tif 000012
【図７ｃ】
2004038950.tif 000013